(57)【要約】      （修正有）【課題】自然の低気圧発生時、台風時等への対策である。【解決手段】本海中発電船は船とは全く違い移動、運搬等は全く必要としない為に大変に軽量であり、設計時に於いてより海中部分に設置する事とし、必要な部分のみを海中設置とする。そして周囲を防波壁、底辺海中部分には海底との遮断壁を設置すれば、簡単に外海と遮断可能となり、低気圧、台風時等にも充分対応が可能となる。【選択図】図１
2015002667.tif 000002
【特許請求の範囲】
【請求項１】
図１の通り海上海中部分に周囲を「浮力容器浮力調整装置」が設置され、その強力な浮力確保と同時に「船内第一甲板」部分を設置をし、その「船内第一甲板部分に「三層回転扇稼動に依る高速回転ギア稼動発電室」を設置をし、発電を行なう事とする。
そしてその発電稼動力の出現の為にまず「発電回転扇」（Ａ）（Ｂ）各々を設置する。
そしてその発電稼動力の出現の為にその回転原動力は「自然海水侵入筒」部分よりの深海海中よりの直接「自然海水噴出稼動水槽」内への深海水の侵入が「船中喫水線」迄常時確保されており、当然何の労力も要しない自然侵入とする。
そしてこの自然侵入海水を数十基の「高圧海水噴出機」にて「発電回転扇」（Ａ）（Ｂ）各々に噴出が行なわられる事となり、当然この噴出海水は無限量である。
そしてこの二段の回転扇（Ａ）（Ｂ）に噴射された排海水処理の為に「第一排水槽」と「第二主力排水槽」の間に「排出海水逆流防止空間室」を設置し、順調に「第二主力排水槽」内への排出を行なう為に「負圧解消高圧空気噴出機」の設置も行なう事とする。
そして順次「第二主力排水槽」内に流入した排水は同時に「排水準備室」内へ常時流入侵入する事とする。
次にこの侵入をした排海水を「船内海上喫水線」部分に放出を行なう為に図１の通り「回転扇排水専用翼」を設置をし、その内部翼部分に排海水用の「排水放出筒」部分を図１の通り１６本設置する事とする。
当然この設置本数は増減可能とする。
そしてこの「排水放出筒」内への排海水の侵入は、「第二主力排水槽」内の排海水位（Ｆ）部分迄は自然に侵入が行なわられる事となるが、より強力な排出準備の為に「排出稼動モーター」設置に依る「継続押出し排出装置」の稼動を行ない、「排水準備室」内の排出圧力の強化を行なう事とし、「回転扇排水専用翼」の回転稼動が始まれば当然強烈な高速回転遠心力の出現となり、強力な吸引力が「排水準備室」内の排海水を吸い込んで行く事となるが、本「継続押出し排出装置」の稼動に依る充分に排圧力が懸かった回転渦流排海水の存在がより軽快な「回転扇排水専用翼」内の「排水放出筒」内への排海水の継続した流入を促す事となり、高速回転遠心力と排圧力強化回転渦流の相乗効果に依り、「噴出排出口」部分の排海水放出力に於いてはただ高速回転遠心力のみでは放出力も半減するが、「継続押出し排出装置」の稼動に依る「排水準備室」内の高速回転渦流発生に依る排海水水圧の常時確保に依り、より軽快な高速回転遠心力に依る「排水放出筒」よりの継続された排海水の放出となる。
そして段々と「回転扇排水専用翼」が排海水行為を行ない乍ら、設定された高速回転域に達した時は、その回転稼動力も当然活用する為に、「回転連結装着装置」に依り上部「発電回転扇（Ａ）（Ｂ）」部分との連結連携を行ないより強力な発電を目指すものであり、又大切な深海海水の直接取込み装置については図１に図示の通り「自然海水取込海中空間」の設置を行ない、常時侵入海水の取込放出が繰り返される事となる
「回転扇遠心力活用に依る排海水処理と多重層回転扇併設海中発電設備装置」
【発明の詳細な説明】
【技術分野】
【０００１】  海上海中部分に設置がされた海中船内の図１の通りの発電方法に依る排海水を「第二主力排水槽」内に貯留し、その排水を螺旋状の「継続押出し排出装置」の発生排圧力の活用も同時に行ない乍ら、最下部部分に設置がされた「回転扇排水専用翼」内の「排水放出筒」各々内へと次々と侵入がなされると、「回転扇排水専用翼」部分は外側「高圧噴出海水機」よりの高圧海水の噴出に依り、軽量な「回転扇排水専用翼」の高速回転となり、この内部に設置がされた「排水放出筒」内の排海水は、次々と強力な回転遠心力の作用に依り、そして継続して侵入して来る排海水の侵入力等との総合排出力の出現となり、次々と「船内海上喫水線」部分へと排出が行なわれる事となる。【０００２】  本発明は回転扇の強烈な回転力を活用し１６本の「排水放出筒」の設置を行なうものであり、又回転扇部分は軽量な資材を使用し、想像を越えた排出力の出現となる。【０００３】  以上の通り図１にて説明する。【０００４】  「回転扇排水専用翼」内の「排水放出筒」内への継続排海水の侵入を行なう為に「第二主力排水槽」内に貯留された大量の排海水を「排出稼動モーター」に依り「継続押出し排出装置」の稼動を行ない排海水を押し出すが如く「排水準備室」部分への排出が行なわれると、同時に各々１６箇所の「排水放出筒」への侵入がなされ、瞬時に「回転扇排水専用翼」内へと吸い込まれるとその強烈な遠心力に依り次々と「噴出排出口」部分よりの排出となる。
なぜならその排出力は「回転扇排水専用翼」に流入して来る「排水準備室」部分より遠く離れる程、当然強烈な遠心力の発現となり、図１の通り上方部分へ「排水放出筒」が大幅に放物線の逆方向へと「湾曲」しているが、大量の排海水は次々と上方「第二主力排水槽」内の「継続押出し排出装置」稼動に依る強力な押出し継続排出力と吸引吸圧力の出現となり、次々と「排水準備室」よりの継続された排海水が「排水放出筒」内へ侵入がされる事に依り、全く途切れる事等が無く、その強力な回転遠心力が上方部分に進む程、より強力な「真空力」と強烈な回転遠心力となる事は全く自明の理であり、この双方の働きに依る「噴出排出口」よりの排海水処理が行なわれる事となる。【０００５】
【特許文献】３件  特許  第５０３０００７号  登録日  平成２４年７月６日「海水圧高圧噴出発電装置」出願者  島  晴勇  特許  第４９９３０２７号  登録日  平成２４年５月１８日「回転扇発電に於ける大容量発電と大量排海水処理の全体構想である  出願者  島  晴勇  特許  第４９７４０１７号  登録日  平成２４年４月２０日「扇形浮力船回転式ドラム缶水流発電機」出願者  島  晴勇
【発明の概要】
【発明が解決しようとする課題】  回転扇発電設備を大幅に軽減をし、設置がし易くする方法を思案中に又外周回転扇自体の軽量化等を思考中に雨中での透明パラソル傘を思い付いたものであり、排水用のみの外周回転扇とすれば、大幅な設備軽減となり、又直径数十ｃｍの「排水放出筒」の設置のみとすれば充分に軽量化は可能となると同時に強力な排出量の新方法が発見される事となる。
そして回転扇内の「自然海水噴出稼動水槽」内への海底部分よりの海水の侵入は常時自然に深海海水の侵入が行なわれ常時自然に満たされる事も発見されその侵入海水を活用すれば、従来では全く考えられない大量の海水の放出に依る事に依る新たな海水の供給方法が全く必要とせず、且つ多数の「高圧海水噴出機」稼動の為の噴出海水の吸い上げる作業等本来はこの吸い上げる為のエネルギーが「高圧噴出機」にとっては７割〜８割も占められるエネルギーが、本「高圧海水噴出機」の通り殆んどの設置場所を海面下に設置される事に依り、前記の吸い上げるエネルギーが殆んど不用となり、より強力で強烈な噴出力が各「高圧海水噴出機」より噴出され強力な回転稼動力の出現となる。
【課題を解決するための手段】  本申請装置の通り海面下での「高圧海水噴出機」設置に依る吸水噴出を数十基各々設置を行ない、その噴出稼動力を発電稼動の主力原動力とするものであり、そしてほぼ全ての「高圧海水噴出機」の噴出稼動の海水は海中部分よりの自然湧出海水であり、大幅な高圧排出海水噴出機の稼動力の軽減となる。そしてその排出海水は全く噴出量等には不安は無く、大量排出海水に依る大容量回転稼動力の出現となり、大容量発電の一番大切な要素が全く不安無く常時供給が行なわれる事となるものであり、その「高圧海水噴出機」の稼動電力は全て本発電装置よりの供給電気であり、実質の発電源は自然の厖大な量の海中海水となる。
【発明の効果】  発電源の「高圧海水噴出機」の設置は全て海上喫水線より下方部分に設置されるものである。
よって地上での活用と違い排出水を地上数ｍ〜数十ｍと吸い上げる必要が全く無く、大幅な軽減稼動力が出現し、その原動力は海中海水であり、発生源エネルギーの獲得はより強力で厖大な噴出力の獲得となる。
そして大切な排海水の船外放出は「回転扇排水専用翼」内に「排水放出筒」の設置を行なえば、高速回転遠心力を活用し、次々と大量の排出放出を行なう事が充分に可能となれば正に無限大の発電設備装置となり、各種蒸気タービン発電とは全く違い、地球の自然界に対する大きな負荷は殆んど無い事となる。
【図面の簡単な説明】
【図１】海上海中部分に強力な浮力の確保の為に「浮力容器浮力調整装置」を設置をし、その強力な浮力を活用し、「船内第一甲板」部分を設置し、次にその充分な浮力の活用を行ない乍ら、「回転扇排水専用翼」を設置する。その内側内部部分に回転遠心力の活用に依る排海水の船外放出の為の「排水放出筒」を１６本設置する。そして「自然海水侵入筒」部分よりの常時自然な深海水の侵入に依る「自然海水噴出稼動水槽」内の船中喫水線の確保を行ない乍ら、発電回転扇（Ａ）（Ｂ）各々に高圧海水噴出機よりの噴出を行ない、その排海水を順次「第二主力排水槽」内に貯留を行ないその排海水を「排水準備室」より、「継続押出し排出装置」、「回転扇排水専用翼」に内抱設置がされた「排水放出筒」よりの排海水を高速回転遠心力の作用で船外に排出と同時に、「回転扇排水専用翼」部分が所定の回転数に到達した時には「回転連結装着装置」に依り、発電回転扇（Ａ）（Ｂ）各々と連係回転に依る強力な回転力を発電に活用さす全体図である。
【発明を実施するための形態】
〔図１〕強力な噴射噴出力とする為に、普通の高圧噴出機の大半のエネルギーが消費される事となる海水の吸い上げ稼動等を無くす為に全ての「高圧海水噴出機」は必ず本図の通り海上喫水線より下部分に数十基の設置となり、従来の「高圧海水噴出機」とは比較にならない低エネルギー稼動、超強力な高圧噴出海水力の出現設置となる。
「高圧海水噴出機械室」内に設置がされた「高圧海水噴出機」が使用する海水は常時「自然海水侵入筒」より侵入する深海水を「自然海水噴出稼動水槽」内に常時貯留し、その海水を使用する事とし、その使用後の排海水は順次「排出海水逆流防止空間室」を経由して「第二主力排水槽」内に段々と貯留されると同時に、「排水準備室」内にも常時貯留されると同時に、「継続押出し排出装置」に依る回転渦流の発生を行ない、「回転扇排水専用翼」の回転稼動に依る高速回転遠心力の出現に依る「排水放出筒」内への排出侵入にも本「継続押出し排出装置」は重要な働きを行なう事となる。
そして本設備の重要な部分である「回転扇回転緩衝装置」の機能は「回転扇排水専用翼」の浮力調整に依る安定回転と回転力の向上、波動等に依る緩衝装置機能、「継続押出し排出装置」に依る強力な発生回転渦流をより回転力の向上と、「排水放出筒入口」部分への順調に吸引排出方法等、排海水の排出をより順調に行なう装置でもあり、大切な「発電回転扇（Ａ）（Ｂ）」と「回転扇排水専用翼」部分の「回転連結装着装置」稼動の円滑な稼動の為の総合補助等大切な役目を担う重要な装置であり、そして「自然海水侵入筒」部分については図１内に記す通りとする。
【図１】
2015002667.tif 000003